(57)【要約】【課題】ユーザによって認識されやすい静止画像を表示することができる、静止画像表示装置を提供すること。【解決手段】静止画像表示装置１０は、光源１５と、透明な導光体１３と、減衰シート１４と、背景シート１２と、を具備する。導光体１３の下面は、光を乱反射する粗面領域１３ａおよび光を透過又は反射する滑面領域１３ｂを含んでいる。背景シート１２は、高い反射率を示す鏡面１２ｍを有している。【選択図】  図１
2009042364.tif 000002
【特許請求の範囲】
【請求項１】
光源と、
第１面およびこれと反対の第２面を有する平板上の、透明な導光体と、
上記第１面に設けられた、通過する光を減衰する、減衰シートと、
上記第２面に設けられた、到達する光を反射する背景シートと、
を具備する静止画像表示装置であって、
上記第２面は、光を乱反射する粗面領域および光を透過又は反射する滑面領域を含んでおり、
上記背景シートは、高い反射率を示すとともに上記第２面と接触する、鏡面を有している、
静止画像表示装置。
【請求項２】
上記鏡面には、銀が蒸着されている、請求項１に記載の静止画像表示装置。
【請求項３】
上記鏡面には、アルミが蒸着されている、請求項１に記載の静止画像表示装置。
【発明の詳細な説明】
【技術分野】
【０００１】
本発明は、機器を操作するための透明なタッチパネルに重ねて配置され、予め決められた文字などの静止画像を当該タッチパネルに映し出すために用いられる、静止画像表示装置に関する。
【背景技術】
【０００２】
図３および図４は、従来の静止画像表示装置の構造を示している。図３に示すように、静止画像表示装置９０は、樹脂からなるケース９１を具備している。当該ケース９１は、順に、背景シート９２、導光体９３、および、減衰シート９４を収容している。背景シート９２は、一様な反射率を有しており、典型的には白色である。導光体９３は透明材料からなり、静止画像が設けられた下面を有している。具体的には、当該下面は、粗面領域９３ａと、滑面領域９３ｂとを含んでいる。粗面領域９３ａは、例えばエッチング処理などにより形成された凹凸を有しており、文字などの静止画像を表現する。一方、滑面領域９３ｂは、滑らかな表面を有しており、当該静止画像の背景としての役割を果たす。減衰シート９４は、所定の透過率を有する。
【０００３】
静止画像表示装置９０は、さらに、配線基板９６とＬＥＤ９７からなる光源９５を具備している。光源９５は、導光体９３の端面に設けられている。
【０００４】
次に、図４を参照して、静止画像表示装置９０の動作を説明する。ＬＥＤ９７は、照明光Ｌｓを発する。照明光Ｌｓは、導光体９３の端面から導光体９３の内部へ進行し、その後、導光体９３の上面および下面で全反射されながら、導光体９３の内部の全域へ伝播する。粗面領域９３ａに到達した照明光Ｌｓは、乱反射される。これにより、照明光Ｌｓの一部は、減衰シート９４を透過して強い出射光Ｌａとなる。一方、滑面領域９３ｂに到達した照明光Ｌｓの大半は、反射され、導光体９３の内部の伝播を繰り返す。このため、当該滑面領域９３ｂにおいて散乱された、照明光Ｌｓの少ない一部が、減衰シート９４を透過して弱い出射光Ｌｂとなる。強い出射光Ｌａと弱い出射光Ｌｂとが作り出すコントラストが、ユーザに静止画像を認識させる。
【発明の開示】
【発明が解決しようとする課題】
【０００５】
弱い出射光Ｌｂは、無視できない強度を持っている。すなわち、滑面領域９３ｂの直下にある白い背景シート９２が、光の散乱を起こしており、それによって、ある程度のエネルギーを持った弱い出射光Ｌｂを作り出している。この結果、強い出射光Ｌａと弱い出射光Ｌｂとの強度の差が充分に確保できていない。
【０００６】
弱い出射光Ｌｂの強度を小さくするためには、白い背景シート９２に代えて、黒い背景シート９２を採用する方策が考えられる。しかし、この場合、強い出射光Ｌａの強度も低下してしまう。これは、粗面領域９３ａの直下にある黒い背景シート９２が、当該粗面領域９３ａで乱反射される光の一部を吸収してしまうためと考えられる。この場合においてもまた、強い出射光Ｌａと弱い出射光Ｌｂとの強度の差が充分に確保できない。このように、白色および黒色の背景シート９２のいずれを採用しても、静止画像表示装置９０には、ユーザによる静止画像の認識のしやすさの点において、改善の余地がある。
【０００７】
したがって、本発明は、強度差の大きな強い出射光Ｌａおよび弱い出射光Ｌｂを出射することによって、ユーザによって認識されやすい静止画像を表示することができる、静止画像表示装置を提供することを目的とする。
【課題を解決するための手段】
【０００８】
本発明によって提供される静止画像表示装置は、光源と、第１面およびこれと反対の第２面を有する平板上の、透明な導光体と、上記第１面に設けられた、通過する光を減衰する、減衰シートと、上記第２面に設けられた、到達する光を反射する背景シートと、を具備する。上記第２面は、光を乱反射する粗面領域および光を透過又は反射する滑面領域を含んでいる。上記背景シートは、高い反射率を示すとともに上記第２面と接触する、鏡面を有している。
【０００９】
好ましくは、上記鏡面には、銀が蒸着されている。
【００１０】
あるいは、上記鏡面には、アルミが蒸着されている。
【発明を実施するための最良の形態】
【００１１】
図１および図２は、本発明に係る静止画像表示装置の実施形態を示している。図１に示すように、静止画像表示装置１０は、樹脂からなるケース１１を具備している。当該ケース１１は、順に、背景シート１２、導光体１３、および、減衰シート１４を収容している。
【００１２】
本発明において特徴的な背景シート１２は、自身に到達する光を反射する性質を有する。すなわち、背景シート１２は、高い反射率を示す鏡面１２ｍを有している。この鏡面１２ｍの色は、典型的には銀色である。この鏡面１２ｍは、例えば、銀を蒸着することによって、あるいは、アルミを蒸着することによって形成されている。
【００１３】
導光体１３は透明材料からなり、静止画像が設けられた下面を有している。具体的には、当該下面は、粗面領域１３ａと、滑面領域１３ｂとを含んでいる。粗面領域１３ａは、例えばエッチング処理などにより形成された凹凸を有しており、文字などの静止画像を表現する。一方、滑面領域１３ｂは、滑らかな表面を有しており、当該静止画像の背景としての役割を果たす。この下面は、前述した背景シート１２の鏡面１２ｍと接触している。
【００１４】
減衰シート１４は、非常に小さな所定の透過率を有する。減衰シート１４は、後述する光源が点灯しない時に、導光体１３に設けられた静止画像が、ユーザによって見られること防ぐためのものである。
【００１５】
静止画像表示装置１０は、さらに、配線基板１６とＬＥＤ１７からなる光源１５を具備している。光源１５は、導光体１３の端面に設けられている。
【００１６】
次に、図２を参照して、静止画像表示装置１０の動作を説明する。ＬＥＤ１７は、照明光Ｌｓを発する。照明光Ｌｓは、導光体１３の端面から導光体１３の内部へ進行し、その後、導光体１３の上面および下面で全反射されながら、導光体１３の内部の全域へ伝播する。粗面領域１３ａに到達した照明光Ｌｓは、乱反射される。これにより、照明光Ｌｓの一部は、減衰シート１４を透過して強い出射光Ｌａとなる。この時、当該粗面領域１３ａの下に設けられた鏡面１２ｍは、照明光Ｌｓを上方に反射することにより、強い出射光Ｌａの強度をさらに大きくしている。
【００１７】
一方、滑面領域１３ｂに到達した照明光Ｌｓのほとんど全てが、散乱されずに、鏡面１２ｍで反射され、導光体１３の内部を伝播し続ける。このため、光は導光体１３に対して垂直な上向きの方向に伝播しない。さらに、低い透過率を示す減衰シート１４が、光を上向きの方向に出射することを防ぐ。換言すれば、弱い出射光Ｌｂのエネルギーは、無視できるほど小さくなる。
【００１８】
以上の構成によれば、強い出射光Ｌａと弱い出射光Ｌｂの強度の差は非常に大きいものとなる。したがって、表示される静止画像のコントラストは良好になり、ユーザは静止画像表示装置１０に表示された静止画像を、容易に認識できる。
【図面の簡単な説明】
【００１９】
【図１】本発明の実施形態に係る静止画像表示装置の構造を示す分解斜視図である。
【図２】本発明の実施形態に係る静止画像表示装置の構造を示す断面図である。
【図３】従来の静止画像表示装置の構造を示す分解斜視図である。
【図４】従来の静止画像表示装置の構造を示す断面図である。
【符号の説明】
【００２０】
１０  静止画像表示装置
１１  ケース
１２  背景シート
１２ｍ  鏡面
１３  導光体
１３ａ  粗面領域
１３ｂ  滑面領域
１４  減衰シート
１５  光源
１６  配線基板
１７  ＬＥＤ
【図１】
2009042364.tif 000003
【図２】
2009042364.tif 000004
【図３】
2009042364.tif 000005
【図４】
2009042364.tif 000006